(57)【要約】【課題】本発明は消費電力を低減させて製造単価を低減させることができるというマディスプレイ装置を提供する。【解決手段】本発明は、データ電極を含むプラズマディスプレイパネルと、アドレス期間に前記データ電極へ正極性電圧を供給する電圧供給部と、前記データ電極と前記電圧供給部との間に形成され、前記電圧供給部から供給される電圧を格納する電圧格納部と、前記電圧供給部から前記電圧格納部または前記データ電極へ前記正極性電圧が供給される経路を形成する電圧経路選択部とを備える。【選択図】図１
2007122064.tif 000002
【特許請求の範囲】
【請求項１】
データ電極を含むプラズマディスプレイパネルと、
アドレス期間に前記データ電極へ正極性電圧を供給する電圧供給部と、
前記データ電極と前記電圧供給部との間に形成され、前記電圧供給部から供給される電圧を格納する電圧格納部と、
前記電圧供給部から前記電圧格納部または前記データ電極へ前記正極性電圧が供給される経路を形成する電圧経路選択部と
を備えたプラズマディスプレイ装置。
【請求項２】
前記電圧供給部は、前記アドレス期間に印加されるデータパルスの電圧の実質的に半分の大きさの正極性電圧を前記データ電極へ供給する単一電圧源であることを特徴とする請求項１に記載のプラズマディスプレイ装置。
【請求項３】
前記電圧経路選択部は前記アドレス期間に前記電圧供給部から供給される電圧と、前記電圧格納部が格納した電圧との和が所定のスイッチング動作を通じて前記データ電極へ供給されるようにすることを特徴とする請求項1に記載のプラズマディスプレイ装置。
【請求項４】
前記電圧経路選択部は第１スイッチと第２スイッチ及び第１ダイオードを含み、
前記第１スイッチは一端が前記電圧供給部と前記第１ダイオードのアノード端と共通接続され、他端は前記第２スイッチの一端と前記電圧格納部の他端及び前記データ電極の一端と共通接続され、
前記電圧格納部は一端が前記第１ダイオードのカソード端と前記データ電極の他端と共通接続されることを特徴とする請求項１に記載のプラズマディスプレイ装置。
【請求項５】
前記第２スイッチの他端に接続され、前記データ電極に基底電圧を供給する基底電圧供給部を更に含むことを特徴とする請求項４に記載のプラズマディスプレイ装置。
【請求項６】
前記電圧格納部は、キャパシタを含むことを特徴とする請求項１に記載のプラズマディスプレイ装置。
【請求項７】
前記電圧格納部は、単一キャパシタを含むことを特徴とする請求項６に記載のプラズマディスプレイ装置。
【請求項８】
前記電圧経路選択部の前記第２スイッチをターンオンさせると、前記電圧供給部が供給する正極性電圧が前記電圧格納部に充填されることを特徴とする請求項４に記載のプラズマディスプレイ装置。
【請求項９】
前記電圧経路選択部の前記第１スイッチをターンオンさせると、前記データ電極の一端に前記正極性電圧が供給され、前記データ電極の他端には実質的に前記正極性電圧の２倍の大きさの電圧が供給されることを特徴とする請求項４に記載のプラズマディスプレイ装置。
【請求項１０】
前記アドレス期間に前記データ電極へ印加されるデータパルスの電圧の大きさは、実質的に前記正極性電圧の大きさの２倍であることを特徴とする請求項９に記載のプラズマディスプレイ装置。
【請求項１１】
データ電極を含むプラズマディスプレイパネルと、
アドレス期間に前記データ電極へ正極性電圧を供給する電圧供給部と、
前記データ電極と前記電圧供給部との間に形成され、前記電圧供給部から供給される電圧を格納する電圧格納部と、
前記電圧供給部から前記電圧格納部または前記データ電極へ前記正極性電圧が供給される経路を形成する電圧経路選択部と、
前記電圧格納部と前記データ電極との間にドライバ集積回路（ＩＣ）の形態に形成され、前記データ電極へ供給される電圧の出力を制御する駆動信号出力部と
を備えるプラズマディスプレイ装置。
【請求項１２】
前記電圧供給部は、前記アドレス期間に印加されるデータパルスの電圧の実質的に半分の大きさの正極性電圧を前記データ電極へ供給する単一電圧源であることを特徴とする請求項１１に記載のプラズマディスプレイ装置。
【請求項１３】
前記電圧経路選択部は前記アドレス期間に前記電圧供給部から供給される電圧と、前記電圧格納部が格納した電圧との和が所定のスイッチング動作を通じて前記データ電極へ供給されるようにすることを特徴とする請求項１１に記載のプラズマディスプレイ装置。
【請求項１４】
前記電圧経路選択部は第１スイッチと第２スイッチ及び第１ダイオードを含み、
前記駆動信号出力部はプッシュプル形態に接続されている第３スイッチと第４スイッチを含み、前記第３スイッチと前記第４スイッチとの間で前記データ電極と接続されて所定のスイッチング動作を通じて前記データ電極へ供給される電圧の出力を制御することを特徴とする請求項１１に記載のプラズマディスプレイ装置。
【請求項１５】
前記第１スイッチは、一端が前記電圧供給部と前記第１ダイオードのアノード端と共通接続され、他端は前記第２スイッチの一端と前記電圧格納部の他端及び前記駆動信号出力部の前記第４スイッチの一端と共通接続され、
前記電圧格納部は、一端が前記第１ダイオードのカソード端と前記駆動信号出力部の前記第３スイッチの一端と共通接続されることを特徴とする請求項１４に記載のプラズマディスプレイ装置。
【請求項１６】
前記第２スイッチの他端に接続され、前記データ電極へ基底電圧を供給する基底電圧供給部を更に含むことを特徴とする請求項１５に記載のプラズマディスプレイ装置。
【請求項１７】
前記電圧格納部は、キャパシタを含むことを特徴とする請求項１１に記載のプラズマディスプレイ装置。
【請求項１８】
前記電圧格納部は、単一キャパシタを含むことを特徴とする請求項１７に記載のプラズマディスプレイ装置。
【請求項１９】
前記電圧経路選択部の前記第２スイッチをターンオンさせると、前記電圧供給部の供給する正極性電圧が前記電圧格納部に充填されることを特徴とする請求項１５に記載のプラズマディスプレイ装置。
【請求項２０】
前記電圧経路選択部の前記第１スイッチをターンオンさせると、前記駆動信号出力部の前記第４スイッチの一端に前記正極性電圧が供給され、前記駆動信号出力部の前記第３スイッチの一端には実質的に前記正極性電圧の２倍の大きさの電圧が供給されることを特徴とする請求項１５に記載のプラズマディスプレイ装置。
【発明の詳細な説明】
【技術分野】
【０００１】
本発明は、プラズマディスプレイ装置に関する。
【背景技術】
【０００２】
一般に、プラズマディスプレイパネルは前面パネルと後面パネルとの間に形成されている隔壁が一つの単位放電セルをなすものであって、各セル内にはネオン（Ｎｅ）、ヘリウム（Ｈｅ）またはネオン及びヘリウムの混合気体（Ｎｅ+Ｈｅ）のような主放電気体と少量のキセノンを含有する不活性ガスが充填されている。前述した単位放電セルは、複数個が集まって一つの画素をなす。例えば、赤色（Ｒｅｄ、Ｒ）セル、緑色（Ｇｒｅｅｎ、Ｇ）セル、青色（Ｂｌｕｅ、Ｂ）セルが集まって一つのピクセルを形成する。
【０００３】
このような単位放電セルに高周波電圧が印加されて放電される時、不活性ガスは真空紫外線（ＶａｃｕｕｍＵｌｔｒａ Ｖｉｏｌｅｔ ｒａｙｓ）を発生し、隔壁の間に形成されている蛍光体を発光させて画像が実現する。
【０００４】
プラズマディスプレイパネルは複数の電極、例えばスキャン電極（Ｙ）、サステイン電極（Ｚ）、データ電極（Ｘ）を含み、このようなプラズマディスプレイパネルの電極に駆動電圧を供給するための駆動部が各電極に接続されてプラズマディスプレイ装置を形成する。
【０００５】
各駆動部は、プラズマディスプレイパネルの駆動時の所定期間に、例えばリセット期間にリセットパルス、アドレス期間にスキャンパルス、サステイン期間にサステインパルスのような駆動パルスをプラズマディスプレイパネルの電極に供給して画像を実現する。このようなプラズマディスプレイ装置は軽薄な構成が可能であるので、近年、表示装置として脚光を浴びている。
【０００６】
一方、前記の駆動部、例えばデータ電極（Ｘ）を駆動するためのデータ駆動部は熱に弱いという問題点があるが、このような不具合はアドレス期間にデータ電極（Ｘ）へデータパルスを供給してデータ電極（Ｘ）を駆動するためのデータドライバ集積回路（ＤａｔａＩＣ）に含まれているスイッチング素子の動作によって更に深刻になる。
【０００７】
すなわち、データ電極（Ｘ）に印加される電圧の状態が変化して変位電流の発生により熱を発生させ、更にこのような熱または変位電流などの問題は駆動部の回路損傷を加速化させるだけでなく、回路の駆動特性を阻害させるという短所がある。
【０００８】
また、ここで前述したデータ駆動部がデータ電極（Ｘ）へ供給する電圧の大きさは、駆動部の動作特性において重大な要素であるが、このような駆動部が供給する電圧の一例として、アドレス期間のデータパルスの電圧の絶対値が高くなれば耐電圧特性が高い素子の使用により、製造単価が上昇するだけでなく、消費電力が増加するという致命的な問題が生じる。
【０００９】
更に、このような高電圧の駆動は、前述したように弱い熱特性を有する駆動部に及ぼす悪影響を増加させて、回路損傷を深刻化し、更にはプラズマディスプレイパネルの寿命を短縮させるという問題がある。
【００１０】
また、このような側面の以外にも駆動電圧が高くなれば画質に影響を及ぼす因子、一例として、蛍光体に強い影響を与え、蛍光体の固着化を深刻化するが、これはプラズマディスプレイパネルが実現する画像の品質を低下させるという問題がある。
【発明の開示】
【発明が解決しようとする課題】
【００１１】
そこで、本発明は、上記事情にに鑑みてなされたものであって、その目的とするところは、消費電力を低減するためのプラズマディスプレイ装置を提供することにある。
【課題を解決するための手段】
【００１２】
本発明の一側面によるプラズマディスプレイ装置は、データ電極を含むプラズマディスプレイパネルと、アドレス期間に前記データ電極へ正極性電圧を供給する電圧供給部と、前記データ電極と前記電圧供給部との間に形成され、前記電圧供給部から供給される電圧を格納する電圧格納部と、前記電圧供給部から前記電圧格納部または前記データ電極へ前記正極性電圧が供給される経路を形成する電圧経路選択部とを備える。
【００１３】
前記電圧供給部は、前記アドレス期間に印加されるデータパルスの電圧の実質的に半分の大きさの正極性電圧を前記データ電極へ供給する単一電圧源であることを特徴とする。
【００１４】
前記電圧経路選択部は前記アドレス期間に前記電圧供給部から供給される電圧と、前記電圧格納部が格納した電圧との和が所定のスイッチング動作を通じて前記データ電極へ供給されるようにすることを特徴とする。
【００１５】
前記電圧経路選択部は第１スイッチと第２スイッチ及び第１ダイオードを含み、前記第１スイッチは一端が前記電圧供給部と前記第１ダイオードのアノード（Ａｎｏｄｅ）端と共通接続され、他端は前記第２スイッチの一端と前記電圧格納部の他端及び前記データ電極の一端と共通接続され、前記電圧格納部は一端が前記第１ダイオードのカソード（Ｃａｔｈｏｄｅ）端と前記データ電極の他端と共通接続されることを特徴とする。
【００１６】
前記第２スイッチの他端に接続され、前記データ電極に基底電圧を供給する基底電圧供給部を更に含むことを特徴とする。
【００１７】
前記電圧格納部は、キャパシタ（Ｃａｐａｃｉｔｏｒ）を含むことを特徴とする。
【００１８】
前記電圧格納部は、単一キャパシタを含むことを特徴とする。
【００１９】
前記電圧経路選択部の前記第２スイッチをターンオンさせると、前記電圧供給部の供給する正極性電圧が前記電圧格納部に充填されることを特徴とする。
【００２０】
前記電圧経路選択部の前記第１スイッチをターンオンさせると、前記データ電極の一端に前記正極性電圧が供給され、前記データ電極の他端には実質的に前記正極性電圧の２倍の大きさの電圧が供給されることを特徴とする。
【００２１】
前記アドレス期間に前記データ電極へ印加されるデータパルスの電圧の大きさは、実質的に前記正極性電圧の大きさの２倍であることを特徴とする。
【００２２】
本発明の他の側面によるプラズマディスプレイ装置は、データ電極を含むプラズマディスプレイパネルと、アドレス期間に前記データ電極へ正極性電圧を供給する電圧供給部と、前記データ電極と前記電圧供給部との間に形成され、前記電圧供給部から供給される電圧を格納する電圧格納部と、前記電圧供給部から前記電圧格納部または前記データ電極へ前記正極性電圧が供給される経路を形成する電圧経路選択部と、前記電圧格納部と前記データ電極との間にドライバ集積回路（ＩＣ）の形態に形成され、前記データ電極へ供給される電圧の出力を制御する駆動信号出力部とを備える。
【００２３】
前記電圧供給部は、前記アドレス期間に印加されるデータパルスの電圧の実質的に半分の大きさの正極性電圧を前記データ電極へ供給する単一電圧源であることを特徴とする。
【００２４】
前記電圧経路選択部は前記アドレス期間に前記電圧供給部から供給される電圧と、前記電圧格納部が格納した電圧との和が所定のスイッチング動作を通じて前記データ電極へ供給されるようにすることを特徴とする。
【００２５】
前記電圧経路選択部は第１スイッチと第２スイッチ及び第１ダイオードを含み、前記駆動信号出力部はプッシュプル形態に接続されている第３スイッチと第４スイッチを含み、前記第３スイッチと前記第４スイッチとの間で前記データ電極と接続されて所定のスイッチング動作を通じて前記データ電極に供給される電圧の出力を制御することを特徴とする。
【００２６】
前記第１スイッチは、一端が前記電圧供給部と前記第１ダイオードのアノード端と共通接続され、他端は前記第２スイッチの一端と前記電圧格納部の他端及び前記駆動信号出力部の前記第４スイッチの一端と共通接続され、前記電圧格納部は一端が前記第１ダイオードのカソード端と前記駆動信号出力部の前記第３スイッチの一端と共通接続されることを特徴とする。
【００２７】
前記第２スイッチの他端に接続され、前記データ電極へ基底電圧を供給する基底電圧供給部を更に含むことを特徴とする。
【００２８】
前記電圧格納部は、キャパシタを含むことを特徴とする。
【００２９】
前記電圧格納部は、単一キャパシタを含むことを特徴とする。
【００３０】
前記電圧経路選択部の前記第２スイッチをターンオンさせると、前記電圧供給部の供給する正極性電圧が前記電圧格納部に充填されることを特徴とする。
【００３１】
前記電圧経路選択部の前記第１スイッチをターンオンさせると、前記駆動信号出力部の前記第４スイッチの一端に前記正極性電圧が供給され、前記駆動信号出力部の前記第３スイッチの一端には実質的に前記正極性電圧の２倍の大きさの電圧が供給されることを特徴とする。
【発明の効果】
【００３２】
本発明のプラズマディスプレイ装置によれば、回路損傷を防止し、蛍光体の製造単価を低減させることができるという効果を奏する。
【発明を実施するための最良の形態】
【００３３】
以下、添付図面を参照しつつ本発明の一実施形態を説明する。
【００３４】
図１は、本発明のプラズマディスプレイ装置の一例を示す図である。
【００３５】
図１に示すように、本発明によるプラズマディスプレイ装置は、プラズマディスプレイパネル２００と、プラズマディスプレイパネル２００に形成されている電極を駆動するための駆動部１２０、１３０、１４０及び駆動部を制御するためのコントロール部１１０と、駆動部１２０、１３０、１４０に必要な駆動電圧を供給するための駆動電圧発生部１５０とを含む。
【００３６】
このような駆動部は、データ電極（Ｘ１〜Ｘｍ）にデータを供給するためのデータ駆動部１２０と、スキャン電極（Ｙ１〜Ｙｎ）を駆動するためのスキャン駆動部１３０と、共通電極であるサステイン電極（Ｚ）を駆動するためのサステイン駆動部１４０とを含む。
【００３７】
プラズマディスプレイパネル２００は、上部基板（図示せず）と下部基板（図示せず）が一定の間隔をおいて貼り合わされ、上部基板には一例として複数の電極、例えばスキャン電極（Ｙ１〜Ｙｎ）及びサステイン電極（Ｚ）が対をなして形成され、下部基板にはスキャン電極（Ｙ１〜Ｙｎ）及びサステイン電極（Ｚ）と交差するようにデータ電極（Ｘ１〜Ｘｍ）が形成される。
【００３８】
このようなプラズマディスプレイパネル２００の構造の一例を詳細に説明すれば、以下の図２のようである。
【００３９】
図２は、本発明のプラズマディスプレイパネル構造の一例を示す図である。
【００４０】
図２に示すように、プラズマディスプレイパネル２００は、一例として画像がディスプレイされる表示面である前面基板２１１にスキャン電極２１２とサステイン電極２１３とが対をなして形成された複数の保持電極対が配列されている前面パネル２１０及び背面をなす後面基板２２１上に前述した複数の保持電極対と交差するように複数のデータ電極２２３、Ｘが配列された後面パネル２２０が一定の距離をおいて平行に結合される。
【００４１】
前面パネル２１０は、一例として一つの放電セルで互いに放電させ、セルの発光を維持するためのスキャン電極２１２、Ｙ及びサステイン電極２１３、Ｚ、すなわち透明なＩＴＯ物質で形成された透明電極（ａ）と金属材質で形成されたバス電極（ｂ）からなるスキャン電極２１２、Ｙ及びサステイン電極２１３、Ｚが対をなして含まれることができる。また、透明電極（ａ）のみか、バス電極（b）のみで形成することも可能である。スキャン電極２１２、Ｙ及びサステイン電極２１３、Ｚは放電電流を制限し、電極対の間を絶縁させる一つ以上の上部誘電体層２１４により覆われ、上部誘電体層２０４の上面には放電条件を容易にするために、例えば酸化マグネシウム（ＭｇＯ）を蒸着した保護層２１５が形成される。
【００４２】
後面パネル２２０は、一例として、複数の放電空間、すなわち放電セルを形成させるためのストライプタイプまたはウェルタイプの隔壁２２２が平行を維持して配列される。また、アドレス放電を行って真空紫外線を発生させる複数のデータ電極２２３、Ｘが隔壁２２２に対し平行に配置される。後面パネル２２０の上側面にはアドレス放電時に画像を表示するための可視光線を放出するＲ、Ｇ、Ｂ蛍光体２２４が塗布される。データ電極２２３、Ｘと蛍光体２１４との間にはデータ電極２２３、Ｘを保護するための下部誘電体層２２５が形成される。
【００４３】
このように形成された前面パネル２１０と後面パネル２２０とがシーリング工程を通じて貼り合わされてプラズマディスプレイパネルを形成する。そして、このようなプラズマディスプレイパネルには複数の電極、例えばスキャン電極２１２、Ｙ、サステイン電極２１３、Ｚ及びデータ電極２２３、Ｘなどの電極を駆動するための駆動部などが取り付けられてプラズマディスプレイ装置を形成する。
【００４４】
このような本発明のプラズマディスプレイ装置を駆動する方式について説明すれば、以下の図３のようである。
【００４５】
図３は、本発明のプラズマディスプレイ装置の画像階調を実現する方法の一例を示す図である。
【００４６】
図３に示すように、プラズマディスプレイ装置の画像階調を表現する方法は１フレームを、発光回数が所定の値にそれぞれ設定された複数のサブフィールドに分けて駆動することができる。例えば、各サブフィールドを全てのセルを初期化させるためのリセット期間、放電されるセルを選択するためのアドレス期間及び放電回数に応じて階調を実現するサステイン期間に分けて駆動することができる。
【００４７】
例えば、２５６階調で画像を表示しようとする場合に、１／６０秒に該当するフレーム期間（１６.６７ｍｓ）は複数、一例として８つのサブフィールド（ＳＦ１〜ＳＦ８）に分けられる。８つのサブフィールド（ＳＦ１〜ＳＦ８）のそれぞれは前述したように、リセット期間、アドレス期間及びサステイン期間に分けられる。このとき、各サブフィールドのリセット期間とアドレス期間は各サブフィールドごとに同一である反面、サステイン期間とそれに割り当てられるサステインパルスの数は変わり得る。一例として、各サブフィールドで２ｎ（ｎ=０、１、２、３、４、５、６、７）の割合で増加し、階調を表現できる。
【００４８】
このようにプラズマディスプレイ装置の基本的なパネル構造の一例と画像を実現する駆動方法の一例について説明した。以下では、図１の本発明のプラズマディスプレイ装置の一例について更に説明する。
【００４９】
スキャン駆動部１３０は、コントロール部１１０の制御下でリセット期間の間に以前のサブフィールドにおける全ての放電セルの壁電荷状態を初期化するためのリセットパルス、例えばセットアップパルス（Ｓｅｔ-ｕｐ）とセットダウンパルス（Ｓｅｔ-ｄｏｗｎ）をスキャン電極（Ｙ１〜Ｙｎ）に供給する。
【００５０】
また、スキャン駆動部１３０は、一例としてコントロール部１１０の制御下でアドレス期間の間に一定の電圧レベルに維持させながら、スキャン電圧（-Ｖｙ）レベルにまで下降するスキャンパルス（Ｓｃａｎ）をスキャン電極（Ｙ１〜Ｙｎ）に順次供給する。
【００５１】
また、スキャン駆動部１３０は、一例としてコントロール部１１０の制御下でサステイン期間の間にサステイン電圧（Ｖｓ）のパルスをスキャン電極（Ｙ１〜Ｙｎ）に供給する。
【００５２】
データ駆動部１２０には、図示しない逆ガンマ補正回路、誤差拡散回路などにより逆ガンマ補正及び誤差拡散された後、サブフィールドマッピング回路により各サブフィールドにマッピングされたデータが供給される。このようなデータ駆動部１２０はコントロール部１１０のタイミング制御信号（ＣＴＲＸ）に応答してデータをサンプリングしてラッチした後に、そのデータパルス（ｄａｔａ）をデータ電極（Ｘ１〜Ｘｍ）に供給する。このようなデータに応じてオン／オフされる放電セル、すなわちサステイン期間に表示放電であるサステイン放電を起こすセルが選択される。
【００５３】
このようにデータパルス（ｄａｔａ）が供給された放電セルには、後述するサステイン期間にサステインパルスが供給されると、サステイン放電が発生する程度の壁電荷が形成される。ここで、本発明の一実施形態によるプラズマディスプレイ装置のデータ駆動部１２０は低電圧としてデータパルス（ｄａｔａ）の電圧を供給できるが、これに対する詳細な説明は、図５の以下で後述する。
【００５４】
サステイン駆動部１４０は、セットダウン期間及びアドレス期間の何れか一つ以上の期間の間に正極性の電圧をサステイン電極に供給する。
【００５５】
また、サステイン駆動部１４０は、サステイン期間の間に内部に備えられたサステイン駆動回路がサステイン電圧（Ｖｓ）のパルスを前述したスキャン電極に印加されるサステイン電圧（Ｖｓ）パルスと交番的にサステイン電極（Ｚ）に供給する。
【００５６】
コントロール部１１０は、垂直／水平同期信号とクロック信号の入力を受けてリセット期間、アドレス期間、サステイン期間に各駆動部１２０、１３０、１４０の動作タイミングと同期化を制御するためのタイミング制御信号（ＣＴＲＸ、ＣＴＲＹ、ＣＴＲＺ）を発生し、そのタイミング制御信号（ＣＴＲＸ、ＣＴＲＹ、ＣＴＲＺ）を該当駆動部１２０、１３０、１４０に供給することで、各駆動部を制御する。
【００５７】
一方、データ制御信号（ＣＴＲＸ）には、データをサンプリングするためのサンプリングクロック、ラッチ制御信号、サステイン駆動回路と駆動スイッチ素子のオン／オフタイムを制御するためのスイッチ制御信号が含まれる。スキャン制御信号（ＣＴＲＹ）には、スキャン駆動部１３０内のサステイン駆動回路と駆動スイッチ素子のオン／オフタイムを制御するためのスイッチ制御信号が含まれ、サステイン制御信号（ＣＴＲＺ）には、サステイン駆動部１４０内のサステイン駆動回路と駆動スイッチ素子のオン／オフタイムを制御するためのスイッチ制御信号が含まれる。
【００５８】
駆動電圧発生部１５０は、セットアップ電圧（Ｖｓｅｔｕｐ）、スキャン基準電圧（Ｖｓｃ）、スキャン電圧（‐Ｖｙ）、サステイン電圧（Ｖｓ）、データ電圧（Ｖａ）などを発生する。このような駆動電圧は放電ガスの組成や放電セル構造によって変わり得る。
【００５９】
前記の本発明のプラズマディスプレイ装置の構成は、理解の便宜を図るための一実施形態であって、本発明の構成がこれに限定されるのではない。すなわち、駆動装置の構成及び動作が多少変動しても請求の範囲に示されている本発明の駆動部の構成及び役割が同一であれば、本発明に含まれるといえる。
【００６０】
このようなプラズマディスプレイ装置の駆動部１２０、１３０、１４０が実現する駆動波形を説明すれば、以下の図４のようである。
【００６１】
図４は、本発明のプラズマディスプレイ装置の駆動方法による駆動波形の一例を示す図である。
【００６２】
図４に示すように、プラズマディスプレイ装置は、一例として画面のフレームを複数のサブフィールドに分け、再びそのサブフィールドを、全てのセルを初期化させるためのリセット期間、放電するセルを選択するためのアドレス期間、選択されたセルの放電を維持させるためのサステイン期間に分けて駆動される。また、必要に応じて放電されたセル内の壁電荷を消去するための消去期間が追加されて駆動されることができる。
【００６３】
リセット期間において、セットアップ期間には全てのスキャン電極にセットアップパルス（Ｓｅｔ‐ｕｐ）が同時に印加される。このセットアップパルス（Ｓｅｔ‐ｕｐ）により全画面の放電セル内には弱い暗放電（ＤａｒｋＤｉｓｃｈａｒｇｅ）が生じる。このセットアップ放電によりデータ電極とサステイン電極上には正極性壁電荷が蓄積され、スキャン電極上には負極性の壁電荷が蓄積される。
【００６４】
セットダウン期間にはセットアップパルス（Ｓｅｔ‐ｕｐ）が供給された後、セットアップパルスのピーク電圧よりも低い正極性電圧から低下し始めて、グラウンド（ＧＮＤ）レベル電圧以下の特定電圧レベルにまで低下するセットダウンパルス（Ｓｅｔ‐ｄｏｗｎ）がセル内に微弱な消去放電を起こすことにより、スキャン電極に過度に形成された壁電荷を十分に消去させる。このセットダウン放電によりアドレス放電が安定して発生し得る程度の壁電荷がセル内に均一に残留する。
【００６５】
アドレス期間には負極性スキャンパルス（Ｓｃａｎ）がスキャン電極に順次印加されると同時にスキャンパルスに同期されてデータ電極に正極性のデータパルス（ｄａｔａ）が印加される。このスキャンパルス（Ｓｃａｎ）とデータパルス（ｄａｔａ）との電圧差とリセット期間に生成された壁電圧が加えられ、データパルス（ｄａｔａ）が印加される放電セル内にはアドレス放電が発生する。アドレス放電により選択されたセル内にはサステイン電圧（Ｖｓ）が印加される際に放電を発生し得る程度の壁電荷が形成される。
【００６６】
このようなアドレス放電は前述したデータパルス（ｄａｔａ）により生じる。すなわち、前述したスキャンパルスは全ての放電セルに順次印加されるが、データパルスは表示放電であるサステイン放電を発生しようとする放電セルにのみ印加することで、オンされる放電セルを選択することができる。
【００６７】
ここで、図４に丸で示したＡ領域に示すデータパルス（ｄａｔａ）の駆動方法はデータ電極を第１の正極性電圧レベル（例：Ｖａ／２）に維持した状態でデータパルスの電圧（Ｖａ）が印加されるようにする。すなわち、データパルス（ｄａｔａ）の駆動方法を改善して前述したデータ電極（Ｘ）を駆動するためのデータドライバ集積回路（ＤａｔａＩＣ）にかかる電圧を下げることで、低電圧駆動を可能にし、消費電力を最小化できる。前記のような構成及び動作は、図５以下でより詳細に説明する。
【００６８】
サステイン期間にはスキャン電極とサステイン電極に交番的にサステインパルス（ｓｕｓ）が印加される。アドレス放電により選択されたセルは、セル内の壁電圧とサステインパルスが加えられながら、サステインパルスが印加される度にスキャン電極とサステイン電極との間にサステイン放電、すなわち表示放電が発生するようになる。
【００６９】
サステイン放電が完了した後、放電されたセル内の壁電荷を消去するための消去期間が追加されて駆動されると、消去期間ではパルス幅または電圧レベルが小さな消去パルスの電圧がサステイン電極に供給されて全画面のセル内に残留する壁電荷を消去させる。
【００７０】
以上で説明した駆動波形の一例は、本発明の構成の理解を容易にするための周辺構成の一例であって、このような駆動波形に本発明の構成が限定されるのではない。すなわち、波形の構成が異なってもデータパルスの駆動方法が同一であれば、本発明に含まれる。
【００７１】
以下、本発明の特徴的なデータ電極の駆動部及び駆動方法について、図面を参照しつつより詳細に説明する。
【００７２】
図５は、本発明のプラズマディスプレイ装置のデータ駆動部の一例を示す図である。
【００７３】
図５は、本発明のプラズマディスプレイ装置のうち、データ駆動部でデータパルスを駆動するための回路構成を示す図である。このようなデータ駆動部は、電圧供給部５１０、電圧格納部５３０及び電圧経路選択部５２０を含む。また、これに駆動信号出力部５４０及び基底電圧供給部５５０が更に含まれる。
【００７４】
電圧供給部５１０はアドレス期間にデータ電極（Ｘ）へ正極性電圧を供給する。電圧供給部５１０はアドレス期間に印加されるデータパルスの電圧の実質的に半分の大きさの正極性電圧（Ｖａ／２）を供給することができる。また、電圧供給部５１０は単一電圧源で形成されてデータ電極へデータパルスを供給することができる。
【００７５】
電圧格納部５３０はデータ電極（Ｘ）と電圧供給部５１０との間に形成される。電圧格納部５３０はキャパシタを含むが、例えば電圧格納部５３０はキャパシタは単一キャパシタＣ１を含んで電圧を格納することができる。また、電圧格納部５３０は電圧供給部５１０が供給した正極性電圧を格納する。電圧格納部５３０に格納された電圧はデータ電極（Ｘ）へ供給できる。例えば、電圧格納部５３０に格納された電圧（Ｖａ／２）をデータ電極（Ｘ）へ供給した後、データパルスの電圧である第２の電圧（Ｖａ）がデータ電極へ供給されるようにできる。
【００７６】
すなわち、単一電圧源からなる電圧供給部５１０が供給するデータパルスの電圧の略半分の電圧（Ｖａ／２）が電圧格納部５３０に充填され、この電圧格納部５３０に充填された電圧（Ｖａ／２）がデータ電極（Ｘ）に供給されることができる。このようにデータ電極（Ｘ）をデータパルスの電圧の半分の電圧レベル（Ｖａ／２）に維持させた状態で再び電圧供給部５１０の電圧、すなわちデータパルスの半分の電圧（Ｖａ／２）をデータ電極（Ｘ）に供給することができる。これにより、前述した電圧格納部５３０が格納した電圧（Ｖａ／２）と合せられて、データ電極（Ｘ）にデータパルスの電圧（Ｖａ）が供給され得る。
【００７７】
電圧経路選択部５２０は電圧供給部５１０から電圧格納部５３０に正極性電圧が供給される第１経路と、電圧供給部５１０からデータ電極（Ｘ）に正極性電圧が供給される第２経路のうちの何れかの経路を所定のスイッチング動作を通じて選択する。これにより、電圧経路選択部５２０はアドレス期間に電圧供給部５１０から供給される電圧と電圧格納部５３０が格納した電圧との和がデータ電極（Ｘ）に供給され得るようにする。このような電圧経路選択部５２０は第１スイッチＱ１と第２スイッチＱ２及び第１ダイオードＤ１を含む。
【００７８】
駆動信号出力部５４０は電圧格納部５３０とデータ電極（Ｘ）との間にドライバ集積回路（ＩＣ）の形態に形成され、データ電極（Ｘ）に供給される電圧の出力を制御する。例えば、駆動信号出力部５４０はプッシュプル形態で接続された第３スイッチＱ３と第４スイッチＱ４を含み、第３スイッチＱ３と第４スイッチＱ４との間でデータ電極（Ｘ）と接続されて所定のスイッチング動作を通じてデータ電極（Ｘ）に供給される電圧を制御することができる。
【００７９】
電圧経路選択部５２０の第１スイッチＱ１は一端が電圧供給部５１０と第１ダイオードＤ１のアノード端と共通接続され、第１スイッチＱ１の他端は第２スイッチＱ２の一端と電圧格納部５３０、Ｃ１の他端及びデータ電極（Ｘ）の一端、すなわち駆動信号出力部５４０の第４スイッチＱ４の一端と共通接続され、電圧格納部５３０、Ｃ１は一端が第１ダイオードＤ１のカソード端とデータ電極（Ｘ）の他端、すなわち駆動信号出力部５４０の第３スイッチＱ３の一端と共通接続される。このようなデータ駆動部がデータ電極にデータパルスを供給する回路動作経路は、図６で後述する。
【００８０】
基底電圧供給部５５０は、電圧経路選択部５２０の第２スイッチＱ２の他端に接続され、データ電極（Ｘ）に基底電圧を供給する。
【００８１】
このような本発明のデータ駆動部の一実施形態に対する回路動作は、後ほど図６ａ〜図６ｃを参照してより明確にする。
【００８２】
図６ａ〜図６ｃは、本発明のプラズマディスプレイ装置のデータ駆動部の動作順序を示す図である。
【００８３】
まず、図６ａに示すように、電圧経路選択部５２０の第２スイッチＱ２をターンオンさせると、電圧供給部５１０から供給する正極性電圧、例えばデータパルスの半分の電圧（Ｖａ／２）が第１ダイオードＤ１と電圧格納部５３０及び第２スイッチＱ２を通じて基底電圧供給部５５０と接続されている第１経路を通じて電圧格納部５３０に充填される。このとき、第３スイッチＱ３はターンオフ、第４スイッチＱ４はターンオフされている。
【００８４】
その後、図６ｂに示すように、第２スイッチＱ２がターンオフされ、第１スイッチＱ１がターンオンされると、電圧供給部５１０が供給した正極性電圧（Ｖａ／２）が第１スイッチＱ１を経て電圧格納部５３０の他端、すなわち下端にかかるようになる。これにより、データ電極（Ｘ）の一端、すなわち駆動信号出力部５４０の第４スイッチＱ４には正極性電圧、すなわちＶａ／２の電圧が供給される。このとき、第３スイッチＱ３はターンオフされ、第４スイッチＱ４はターンオンまたはターンオフの何れでも良い。第４スイッチは、ターンオフされても内部ダイオードを通じて電流が供給されることができる。
【００８５】
これと同時に、図６ｃに示すように、電圧供給部５１０が正極性電圧（Ｖａ／２）を第１ダイオードＤ１を介して供給して第１ダイオードＤ１のカソード端と電圧格納部５３０の一端、すなわち上端の間には以前に充填された電圧格納部Ｃ１の電圧（Ｖａ／２）と合わせられたデータパルスの電圧（Ｖａ）がかかるようになり、このデータパルスの電圧（Ｖａ）はデータ電極の他端側、すなわち駆動信号出力部５４０の第３スイッチの一端、すなわち上端を通じてデータ電極（Ｘ）に加えられる。このとき、第３スイッチＱ３はターンオン、第４スイッチＱ４はターンオフされている。
【００８６】
このように電圧供給部５１０が供給した電圧と、電圧格納部５３０、Ｃ１に格納された電圧との和がデータ電極（Ｘ）に供給されるようにする。これにより、プラズマディスプレイパネル（Ｃｐ）には実際の駆動電圧であるデータパルスの電圧（Ｖａ）がかかるようになるが、データ電極の両方にはデータパルスの電圧（Ｖａ）の半分の電圧（Ｖａ／２）がかかるようにして、低電圧駆動を行うことができる。
【００８７】
例えば、駆動信号出力部５４０の上端、すなわち第３スイッチＱ３の上端にはデータパルスの電圧（Ｖａ）がかかり、駆動信号出力部５４０の下端、すなわち第４スイッチＱ４の下端にはデータパルスの半分の電圧（Ｖａ／２）がかかるようになって、駆動信号出力部の間には、ただデータパルスの電圧（Ｖａ）とデータパルスの半分の電圧（Ｖａ／２）との差である電圧（Ｖａ‐Ｖａ／２）だけがかかるので、駆動信号出力部の耐圧特性を向上させることができる。すなわち、低い電圧がかかるようにすることで、素子の損傷を減少させ、耐電圧特性の低い素子の使用により製造単価を抑えられる効果がある。
【００８８】
また、このように従来よりも回路の構成を簡単にし、製造単価を抑えることができる。また、このような低電圧駆動により消費電力を低減させ、固着残像を防止できるという効果を得ることができる。
【００８９】
このように、前述した本発明のプラズマディスプレイ装置の動作を理解するために、図６ａ〜図６ｃでは一つのデータパルスを印加させるための単位動作を示したが、このようなデータパルスの印加による連続的なスイッチタイミング図を説明すれば、以下の図７のようである。
【００９０】
図７は、図６ａ〜図６ｃのデータ駆動部の動作によるデータパルスとスイッチタイミングを示す図である。
【００９１】
図７に示すように、連続的にデータパルスを印加させると、前述した図６ａ〜図６ｃの単位動作が連続して発生する。すなわち、前述したように、第２スイッチＱ２のターンオン時にデータパルスの半分の電圧（Ｖａ／２）が充填され、その後、第２スイッチＱ２がターンオフされ、第１スイッチＱ１がターンオンされると、再び供給されるデータパルスの半分の電圧（Ｖａ／２）と以前に充填されたデータパルスの半分の電圧（Ｖａ／２）とが合せられてパネルに供給される。
【００９２】
すなわち、データパルスの半分の電圧（Ｖａ／２）にパネルを維持させた後、再び電圧を供給してデータパルスを生成し、データパルスの電圧を分けて駆動できることにより、低電圧駆動を可能にするという長所がある。
【００９３】
このような低電圧駆動は回路に及ぼす悪影響を減少させることができる。すなわち、一例として低い電圧の駆動により消費電力を減少させるほか、熱問題による被害を最小化し、放熱板であるヒートシンクを設けなくても耐熱性を維持させることができるため、製造単価を大幅に減少させることができる。
【００９４】
特に、前述した本発明のプラズマディスプレイ装置の構成のうち、複数の電圧源でデータ電極を第１電圧に維持させた後、データ電極に第２電圧を供給することができるが、この際の電圧供給部をデータパルスの半分の電圧（Ｖａ／２）を供給する単一電圧源で構成して従来のデータパルスの電圧の大きさの半分の電圧で駆動できるようになる。その結果、消費電力は４分の1（１／４）となり、駆動信号出力部に流れる電流は半分になることで、回路の損傷を最小化し、駆動特性も安定化させることができる。
【００９５】
また、このような低電圧駆動は蛍光体など放電特性に影響を及ぼす因子に与える影響を低減させ、前記放電特性に影響を及ぼす因子が固着化する現象を弱めることができる。これにより、表示する画面の品質が向上したプラズマディスプレイ装置を提供できるようになる。
【００９６】
以上説明したように、本発明の最も好ましい実施の形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【図面の簡単な説明】
【００９７】
【図１】本発明のプラズマディスプレイ装置の一例を示す図である。
【図２】本発明のプラズマディスプレイパネル構造の一例を示す図である。
【図３】本発明のプラズマディスプレイ装置の画像階調を実現する方法の一例を示す図である。
【図４】本発明のプラズマディスプレイ装置の駆動方法による駆動波形の一例を示す図である。
【図５】本発明のプラズマディスプレイ装置のデータ駆動部の一例を示す図である。
【図６ａ】本発明のプラズマディスプレイ装置のデータ駆動部の動作順序を示す図である。
【図６ｂ】本発明のプラズマディスプレイ装置のデータ駆動部の動作順序を示す図である。
【図６ｃ】本発明のプラズマディスプレイ装置のデータ駆動部の動作順序を示す図である。
【図７】図６ａ〜図６ｃのデータ駆動部の動作によるデータパルスとスイッチタイミングを示す図である。
【図１】
2007122064.tif 000003
【図２】
2007122064.tif 000004
【図３】
2007122064.tif 000005
【図４】
2007122064.tif 000006
【図５】
2007122064.tif 000007
【図６ａ】
2007122064.tif 000008
【図６ｂ】
2007122064.tif 000009
【図６ｃ】
2007122064.tif 000010
【図７】
2007122064.tif 000011